(57)【要約】  本発明は、ガイドレール（５）上を走行する走行機構（９）を有するスライドドア又は棚７の為のダンパー構造兼引き込み構造であって、ダンパー装置兼引き込み装置（１９）、解除及び作動要素（２９，３１）、及び解除装置（２７）を有するものに関する。発明に従い、ダンパー装置兼引き込み装置（１９）が、長く延在する、ガイドレール（５）の内部に挿入可能なハウジング（２３）を有すること、及び、ハウジング（２３）に固定された、装置（１９）を担持する二つのローラーまたはスライダー（２５）と、装置（１９）を走行機構（９）に連結するための一つのカップリング（２１）が設けられていることを特徴とするダンパー構造兼引き込み構造。
2013533402.tif 000002
【特許請求の範囲】
【請求項１】
ガイドレール（５）上を走行する走行機構（９）を有するスライドドア又は棚７の為のダンパー構造兼引き込み構造であって、ダンパー装置兼引き込み装置（１９）、解除及び作動要素（２９，３１）、及び解除装置（２７）を有する前記構造において、
ダンパー装置兼引き込み装置（１９）が、ガイドレール（５）の内部に挿入可能な長く延在するハウジング（２３）を有すること、及び、ハウジング（２３）に固定された、装置（１９）を担持する二つのローラーまたはスライダー（２５）と、装置（１９）を走行機構（９）に連結するための一つのカップリング（２１）が設けられていることを特徴とするダンパー構造兼引き込み構造。
【請求項２】
カップリング（２１）が、装置の正面端部に設けられていることを特徴とする請求項１に記載のダンパー構造兼引き込み構造。
【請求項３】
カップリング（２１）がフォーク形状に形成されている、または一つの凹部を有する突出部として形成されていることを特徴とする請求項２に記載のダンパー構造兼引き込み構造。
【請求項４】
走行機構（９）に、カップリング（２１）をロックするための手段が形成されていることを特徴とする請求項１から３のいずれか一項に記載のダンパー構造兼引き込み構造。
【請求項５】
ガイドレール（５）内に突き出す走行機構（９）に形成された舌部（１７）に、ロックするための手段が形成されていること、又は、舌部（１７）が突出部の凹部にはまり込むことを特徴とする請求項４に記載のダンパー構造兼引き込み構造。
【発明の詳細な説明】
【技術分野】
【０００１】
本発明の対象は、請求項１の上位概念部に記載のスライドドアの為のダンパー構造兼引き込み構造
【背景技術】
【０００２】
スライドドアの為のダンパー装置兼引き込み装置は、様々な実施形で公知である。スライドドアの背面側に固定されるか、又は戸棚に固定されており、そしてスライドドアが閉じた位置に近づくとこれと干渉するに至る、ダンパー装置兼引き込み装置はすでに長いこと公知である。ガイドレール内に設けられるダンパー装置兼引き込み装置も、かなりの時間公知である。ダンパー装置兼引き込み装置はガイドレールの内部に設けられる走行機構の部材であるか、又は、これらは走行機構に直列して設けられ、そしてこれと固定的に接続される。走行機構の部材であるダンパー装置兼引き込み装置も、これと固定的に接続されるそれも、走行機構と共に、レールの組立前に戸棚内又は空間の天井部にてレール内へと挿入されなければならない。
【０００３】
スライドドアに対しては、その走行機構ローラーが、ガイドレール内でシフトせず、レールの外側に設けられている公知のダンパー装置兼引き込み装置は適していない。
【先行技術文献】
【特許文献】
【０００４】
【特許文献１】国際公開第ＷＯ２００９／０７６７８５号明細書
【発明の概要】
【発明が解決しようとする課題】
【０００５】
よって本発明の課題は、開かれたスライドドアにおいて見ることが出来ず、及び、ガイドレールの外側に設けられたローラーを有し、互いに重なり合ってスライドする複数のスライドドアに対して使用可能であるダンパー構造兼引き込み構造を提供することである。
【課題を解決するための手段】
【０００６】
この課題は、請求項１に記載の特徴に従うダンパー構造兼引き込み構造によって解決される。本装置の有利な形態は、従属する請求項中に記載される。
【０００７】
発明に係るダンパー装置兼引き込み装置は、ガイドレールの外側に設けられる走行ローラーにもかかわらず、ガイドレールの内部に設けられることが可能であり、そしてスライドドアをガイドレールに載せる際、又は載せた後、スライドドアと接続される。本装置は、開かれたスライドドアにおいて見ることができない。
【０００８】
例示した実施例に基づいて本発明を詳細に説明する。
【図面の簡単な説明】
【０００９】
【図１】戸棚の底及びスライドドアとガイドレール上に載せられた走行機構の戸棚側の部分図
【図２】ダンパー装置兼引き込み装置と接続する前の走行機構
【図３】スライドドアをガイドレールに載せ走行機構と接続する直前の、スライドドアと戸棚底部の部分図
【図４】ダンパー装置兼引き込み装置の上面図
【図５】連結された走行機構とダンパー装置兼引き込み装置の側面図（ガイドレールは省略）
【図６】走行機構を載せられたガイドレールと、ガイドレール内に挿入されたダンパー装置兼引き込み装置の斜視図
【図７】図６の線ＶＩＩ−ＶＩＩに沿う断面図
【図８】ダンパー装置兼引き込み装置及び作動装置の下面斜視図
【発明を実施するための形態】
【００１０】
棚又は戸棚１を部分的に表す図１においては、参照符号３によって戸棚底部が、そして参照符号５によって底部３の溝内または溝上に固定されるガイドレールが表されている。スライドドア７は、走行機構９によって担持されている。走行機構９は、固定プレート１１によってスライドドア７の内側面に固定されている。走行機構９は、少なくとも一つの走行ローラー１３を有し、この走行ローラーはガイドレール５におけるスリット形状の凹部、短縮してスリット１５に入り込んでいる。走行ローラー１３の周辺には、リブ１３’が形成されている。走行ローラー１３の側方では、走行機構９に対して舌部１７が形成されており、これら舌部がスリット１５を通してガイドレール５内に入り込んでいる。
【００１１】
走行機構９の側方には、ガイドレール５内に一つのダンパー装置兼引き込装置、短縮して装置１９を見ることができる。図１には、装置１９がすでにカップリング２１によって走行機構９と連結されている。
【００１２】
ダンパー装置兼引き込み装置１９は、公知の構造で、丸断面または角断面のハウジング２３内へと収納される。ハウジングの前端部又は後端部には、ローラー２５が回転可能に支承されている。これらローラーは、下側面においてハウジング２３を越え、そしてガイドレール５の内部空間内でシフト可能である（図７参照）。ローラー２５に替えて、スライダーを用いることも可能である。
【００１３】
走行機構９を（ツールを使用せずに）装置１９と接続することは、二つの方式で可能である。図２および４かから５に記載の本発明の第一の形態では、スライドドア７は、走行ローラー１３でもってガイドレール５上に載せられる。これは詳しく言うと、両舌部１７がスリット１５内へと入り込み、そして走行ローラー１３上のリブ１３’が側方から案内されてスリット１５内へと入り込むよう行われる。走行機構９をガイドレール５上に載置する際、装置１９は、図２に見て取れるように、装置１９に対して間隔を空けている。そして装置１９は、カップリング２１（図４）が走行機構９にロックされるまで、ロッドまたはスクリュードライバーによって走行機構９に対して押し動かされる。この瞬間から、押し動かしの際に装置１９はスライドドア７によって常に連行案内される。これらはスライドドア７の後方に存在しているので、装置は戸棚１を開ける際にも見ることができない。
【００１４】
スライドドア７の減速、つまりスライドドア７がその走行経路において閉鎖位置へと向かう端部においての激突の九州は、解除装置２７によって行われる。これは、レール端部の領域におけるガイドレール５内において使用されそして固定されかつ解除部２９によって装置１９の解除カム３１と干渉する。解除部２９が解除カム３１に連結されるとすぐに、装置１９内では先行技術から公知のダンパー要素が作動され、そしてスライドドア７が減速される。同時に、同様に先行技術から公知の引き込み要素が装置１９内で作動され、そしてスライドドア７を完全に閉鎖位置へと引き込む。ダンパー装置兼引き込み装置１９は、ここで使用されるように、例えば特許文献１に記載される。違う構造での装置１９もまた使用することができるのは自明である。捕捉フック２９によって装置１９が常に負荷をかけられているので、装置１９と走行機構９の間の接続の為に、一つの拡開可能なフォークが、カップリング２１として十分であり、これらは図４に表されている。他の言葉で言うと、カップリング２１は、これらが、閉鎖位置から開放位置そして閉鎖位置へとまた押し動かされるとき、装置１９を常に走行機構９又はスライドドア７と接続するために使用される。
【００１５】
図３に従う本発明の第二の形態では、装置１９と走行機構９の間の接続は、舌部１７の一方が、好ましくは図３の右に位置する舌部が、ハウジング２３の、一つの開口部を有するタブ部における対応する凹部内へと入り込み、そして両要素の間の接続を達成することによって行われる。この形態では、装置１９がスライドドア１７をガイドレール５内へと挿入する際に、戸棚１が、走行機構９の下のちょうど正確な箇所に存在するという点に注意を払う必要がある。この前提は、本発明の第一の実施形態においては不必要である。というのは、そこでは走行レール５内の装置１９が、走行機構９へと近づけられて押し動かされ、そしてこれと接続されることが可能であるからである。
【符号の説明】
【００１６】
１      棚又は戸棚
３      １の底部
５      ガイドレール
７      スライドドア
９      走行機構
１１      固定プレート
１３      走行ローラー
１３’    リブ
１５      スリット
１７      舌部
１９      ダンパー装置兼引き込み装置
２１      カップリング
２３      ハウジング
２５      ローラーまたはスライダー      
２７      解除装置
２９      解除部
３１      解除カム
【図１】
2013533402.tif 000003
【図２】
2013533402.tif 000004
【図３】
2013533402.tif 000005
【図４】
2013533402.tif 000006
【図５】
2013533402.tif 000007
【図６】
2013533402.tif 000008
【図７】
2013533402.tif 000009
【図８】
2013533402.tif 000010
【国際調査報告】
2013533402.tif 000011
2013533402.tif 000012
2013533402.tif 000013
2013533402.tif 000014